(57)【特許請求の範囲】
【請求項１】
４隅に垂直に立設されるコーナ柱と、各コーナ柱間において所定の間隔をもってコーナ柱と同様に垂直に立設される１または２以上の中間柱と、各コーナ柱あるいは各中間柱に対してその側辺部を連結し、平面長方形あるいは方形状からなる屋外コンテナの外壁面を、その外面側において構成する全体平板状からなる壁パネルの複数枚と、を備え、コーナ柱あるいは中間柱に対して壁パネルの側辺部を連結する壁パネルの連結構造において、
上記各壁パネルは、コーナ柱あるいは中間柱と連結する側辺部において、外壁面に沿う外面側に連続する平板状のものとされ、連結するコーナ柱あるいは中間柱に向けて側方に突出され、壁パネルより薄肉の連結縁を備え、さらに該連結縁の内面側には、屋内側に向けて突出される鉤状の連結突片を備えることとし、
上記コーナ柱は断面略正方形状で角管状の主管部を備え、主管部における周囲４面のうちの少なくとも１面部を、連結する壁パネルの側辺部と突き合わせる突合面とし、該連結する壁パネルにおける連結縁を該突合面の屋外側に位置させることとし、突合面の屋内側には突き合わせる連結縁の内面側と対向配置される状態で重合し、連結縁との重合状態において、連結する壁パネルの厚みと略同一の厚みとなる薄肉で全体扁平状の副管部を、連結する壁パネル側に向ける状態で主管部の突合面より突出するように付設し、この副管部における連結する壁パネルの連結縁の内面側と対向する外表面対応位置には、対向する連結突片を係入し、係合可能とする係入孔を備えることとし、
上記中間柱は断面略方形状で角管状の主管部を備え、主管部における周囲４面のうちの少なくとも１面側を、連結する壁パネルの側辺部と突き合わせる突合面とし、該連結する壁パネルにおける連結縁を該突合面の屋外側に位置させることとし、突合面の屋内側には突き合わせる連結縁との重合状態において、連結する壁パネルの厚みと略同一の厚みとなる薄肉で全体扁平状の副管部を、連結する壁パネルに向ける状態で主管部の突合面より突出するように付設し、この副管部における連結する壁パネルの連結するパネルの連結縁の内面側と対向する外表面対応位置には、対向する連結突片を係入し、係合可能とする係入孔を備えることとし、
壁パネルのコーナ柱に対する結合は、連結する壁パネルの連結縁を連結するコーナ柱の主管部突合面の屋外側に位置させることとし、主管部突合面の屋内側に主管部に付設する状態で備えられる副管部の外表面対応位置に備えられる係入孔に、壁パネルの連結縁の内面側に備えられる連結突片を係入し、壁パネルの側辺部に備えられる連結縁をコーナ柱の副管部に重合して行うこととし、
また壁パネルの中間柱に対する結合は、連結する壁パネルの連結縁を連結する中間柱の主管部突合面の屋外側に位置させることとし、主管部突合面の屋内側に主管部に付設する状態で備えられる副管部の外表面対応位置に備えられる係入孔に、壁パネルの連結縁の内面側に備えられる連結突片を係入し、壁パネルの側辺部に備えられる連結縁を中間柱の副管部に重合して行うこととしてなる壁パネルの連結構造。
【請求項２】
壁パネルにおける連結縁の内面側には、屋内側に向けて突出される鉤状の連結突片を、少なくとも連結縁の内面側の上下２位置に備えることとし、これに対応し、該連結突片を係入し、係合する係入孔も、コーナ柱の副管部の外表面対応位置、あるいは中間柱の副管部の外表面対応位置における上下２位置に備えるようにしてなる請求項１に記載の壁パネルの連結構造。
【請求項３】
４隅に垂直に立設されるコーナ柱と、各コーナ柱間において所定の間隔をもってコーナ柱と同様に垂直に立設される１または２以上の中間柱と、各コーナ柱あるいは各中間柱に対してその側辺部を連結し、平面長方形あるいは方形状からなる屋外コンテナの外壁面を、その外面側において構成する全体平板状からなる壁パネルの複数枚と、を備え、コーナ柱あるいは中間柱に対して壁パネルの側辺部を連結する壁パネルの連結構造において、
上記各コーナ柱は断面略正方形状で角管状の主管部を備え、主管部における周囲４面のうちの少なくとも１面部を、連結する壁パネルの側辺部と突き合わせる突合面とし、該連結する壁パネルにおける連結縁を該突合面の屋外側に位置させることとし、突合面の屋内側には突き合わせる連結縁の内面側と対向配置される状態で重合し、連結縁との重合状態において、連結する壁パネルの厚みと略同一の厚みとなる薄肉で全体扁平状の副管部を、連結する壁パネル側に向ける状態で主管部の突合面より突出するように付設し、この副管部における連結する壁パネルの連結縁の内面側と対向する外表面対応位置には、屋外側に向けて突出される鉤状の連結突片を備えることとし、
上記各壁パネルは、コーナ柱あるいは中間柱と連結する側辺部において、外壁面に沿う外面側に連続する平板状のものとされ、連結するコーナ柱あるいは中間柱に向けて側方に突出され、壁パネルより薄肉の連結縁を備え、さらに該連結縁の内面側には、対向する連結突片を係入し、係合可能とする係入孔を備えることとし、
上記中間柱は断面略方形状で角管状の主管部を備え、主管部における周囲４面のうちの少なくとも１面側を、連結する壁パネルの側辺部と突き合わせる突合面とし、該連結する壁パネルにおける連結縁を該突合面の屋外側に位置させることとし、突合面の屋内側には突き合わせる連結縁との重合状態において、連結する壁パネルの厚みと略同一の厚みとなる薄肉で全体扁平状の副管部を、連結する壁パネルに向ける状態で主管部の突合面より突出するように付設し、この副管部における連結する壁パネルの連結するパネルの連結縁の内面側と対向する外表面対応位置には、屋外側に向けて突出される鉤状の連結突片を備えることとし、
壁パネルのコーナ柱に対する結合は、連結する壁パネルの連結縁を連結するコーナ柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁をコーナ柱の副管部に重合して行うこととし、
また壁パネルの中間柱に対する結合は、連結する壁パネルの連結縁を連結する中間柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁を中間柱の副管部に重合して行うこととしてなる壁パネルの連結構造。
【請求項４】
壁パネルにおける連結縁の内面側には、鉤状の連結突片を係入し、係合可能とする係入孔を、少なくとも連結縁の内面側の上下２位置に備えることとし、これに対応し、該係入孔に係入し、係合可能な鉤状の連結突片を、コーナ柱の副管部の外表面対応位置、あるいは中間柱の副管部の外表面対応位置における上下２位置に備えるようにしてなる請求項３に記載の壁パネルの連結構造。
【請求項５】
上記壁パネルは、左右の各側辺部において上記連結縁を備えることとしてなる請求項１ないし４のいずれかに記載の壁パネルの連結構造。
【請求項６】
上記コーナ柱は、主管部における周囲４面のうちの、屋外コンテナの外壁部を構成せず、屋内側で隣り合う２つの面部を、それぞれその外面部を角度２７０度に対向させた状態でコーナ柱に連結する壁パネルの、側辺部と突き合わせるための突合面とし、各突合面の屋内側に上記副管部をそれぞれ付設することとしてなる請求項１または３のいずれかに記載の壁パネルの連結構造。
【請求項７】
上記中間柱は、主管部における周囲４面のうち、屋外コンテナの外壁部を構成せず、屋内側で４隅に立設する各コーナ柱に向けて備えられる２つの各面部を、それぞれその外面部を角度１８０度に対向させた状態で中間柱に連結する壁パネルの、側辺部と突き合わせるための突合面とし、各突合面の屋内側に上記副管部をそれぞれ付設することとしてなる請求項１または３のいずれかに記載の壁パネルの連結構造。
【発明の詳細な説明】
【技術分野】
【０００１】
本発明は、例えば山間部等に建設され、通信施設やレーダ施設用の建屋として利用したり、災害時用の仮設住宅、工事現場の仮事務所等に利用可能な屋外コンテナを組立てる場合に使用される壁パネルの連結構造に関する。
【背景技術】
【０００２】
従来、山間部等に建設され、通信施設やレーダ施設用の建屋として利用したり、災害時用の仮設住宅、工事現場の仮事務所等に利用可能な屋外コンテナには、様々な大きさと用途のものが存在するが、その多くは、４隅に垂直に立設されるコーナ柱と、各コーナ柱間において所定の間隔をもってコーナ柱と同様に垂直に立設される１または２以上の中間柱と、各コーナ柱あるいは各中間柱に対してその側辺部を支持し、平面長方形あるいは方形状からなる屋外コンテナの外壁面を、その外面側において構成する全体平板状からなる壁パネルの複数枚と、を備え、コーナ柱あるいは中間柱に対して壁パネルの側辺部を連結するタイプのものがほとんどである。
【０００３】
山間部やビル等の屋上などに建設され、例えば携帯電話通信用の基地局の建屋として多く利用されている屋外コンテナとしては、図８ないし図１０に示すものがある。図８は屋外コンテナの全体を示す斜視図、図９は壁および内部柱の水平断面図、図１０は図８のＸ部を屋外コンテナの室内側から観たコーナ柱に対する壁パネルの連結構造を示す斜視図である。
【０００４】
この屋外コンテナ１は、図９に示すように４隅に垂直にコーナ柱２を立設させてなる。また各コーナ柱２間においては、所定の間隔をもって、コーナ柱２と同様に垂直に立設させる状態で３本の中間柱３を備えるようにしている。コーナ柱２と中間柱３は、図１０に示すように角形鋼管材が用いられ、下端部を不図示の床基礎部に支持し、立設させている。
【０００５】
コーナ柱２と中間柱３の外方には、図１０に示すように横桟材４が掛け渡され、支持される。横桟材４としては、図１０に示すような角管状の金属材やＣ形鋼（チャンネル材）などが使用され、横桟材４は水平状態でコーナ柱２あるいは中間柱３の外方にボルト・ナット等を用いたり、溶接などの方法で結合される。
【０００６】
こうして横桟材４が結合され、支持されたコーナ柱２、中間柱３の外方には、全体平板状からなる壁パネル５が支持される。壁パネル５は内部にウレタン材を充填して固化され、外表面を金属材で被覆したものが用いられ、その形状は全体略長方形状のものとされる。壁パネル５は、側辺部同士を突き合わせるようにして、その内面を横桟材４に対して結合され、該結合はビスやネジ等を用い、壁パネル５の内面側を横桟材４に止着することにより行われる。
【０００７】
こうして複数枚の壁パネル５の側辺部同士を連結するようにして、屋外コンテナ１の外壁面をその外面側において構成することが可能となり、さらにコーナ柱２と中間柱３の上端部に屋根材６を支持させることで、図８に示すような平面方形状からなる屋外コンテナ１を組立てることが可能となる。なお、図９において７は、矢印Ａ方向に開閉可能とされるドアパネルであり、横桟材４にヒンジ部８を支持させるようにして中間柱３に支持される。
【０００８】
この他、従来屋外コンテナにおける壁パネルの連結構造としては、下記特許文献１に示すように側辺部同士を突き合わせるようにし、例えば中間柱に支持させるタイプのものや、特許文献２に示すように側辺部同士を突き合わせるようにし、壁パネルの側辺部同士を直接ビスやネジ等を用いて結合するタイプのものも存在していた。
【先行技術文献】
【特許文献】
【０００９】
【特許文献１】特開平８−６０７６６号公報
【特許文献２】特開２００３−３４９９６号公報
【発明の開示】
【発明が解決しようとする課題】
【００１０】
ところで、こうした従来の屋外コンテナ１にあっては、その多くが、図９に示すように、立設されるコーナ柱２や中間柱３に壁パネル５の内面側を支持するように結合させているため、屋内側の内壁面において柱の凹凸が露出することとなっていた。このため、図９に示すように内壁面に沿わせるように電気配線や管材を支持させる場合において、矢印Ｂに示すように湾曲させなければならず、支持作業の効率が悪くなるものとされていた。
【００１１】
また構造材としてのコーナ柱２や中間柱３、さらに横桟材４の厚み分だけ、室内空間が狭くなってしまい、様々な機材を効率良くその室内に設置させたい例えば携帯電話基地局の建屋として用いる場合において、こうした屋外コンテナにおける壁パネルの連結構造は、極めて不効率なものとされていた。
【００１２】
本発明は、こうした従来の不具合に着目してなされたものであり、屋外コンテナの内壁面において、なるべく凹凸が発生することがなく、室内を効率良く利用することを目的とするものである。
【課題を解決するための手段】
【００１３】
上記目的を達成するため、本発明の請求項１は、４隅に垂直に立設されるコーナ柱と、各コーナ柱間において所定の間隔をもってコーナ柱と同様に垂直に立設される１または２以上の中間柱と、各コーナ柱あるいは各中間柱に対してその側辺部を連結し、平面長方形あるいは方形状からなる屋外コンテナの外壁面を、その外面側において構成する全体平板状からなる壁パネルの複数枚と、を備え、コーナ柱あるいは中間柱に対して壁パネルの側辺部を連結する壁パネルの連結構造において、上記各壁パネルは、コーナ柱あるいは中間柱と連結する側辺部において、外壁面に沿う外面側に連続する平板状のものとされ、連結するコーナ柱あるいは中間柱に向けて側方に突出され、壁パネルより薄肉の連結縁を備え、さらに該連結縁の内面側には、屋内側に向けて突出される鉤状の連結突片を備えることとし、上記コーナ柱は断面略正方形状で角管状の主管部を備え、主管部における周囲４面のうちの少なくとも１面部を、連結する壁パネルの側辺部と突き合わせる突合面とし、該連結する壁パネルにおける連結縁を該突合面の屋外側に位置させることとし、突合面の屋内側には突き合わせる連結縁の内面側と対向配置される状態で重合し、連結縁との重合状態において、連結する壁パネルの厚みと略同一の厚みとなる薄肉で全体扁平状の副管部を、連結する壁パネル側に向ける状態で主管部の突合面より突出するように付設し、この副管部における連結する壁パネルの連結縁の内面側と対向する外表面対応位置には、対向する連結突片を係入し、係合可能とする係入孔を備えることとし、上記中間柱は断面略方形状で角管状の主管部を備え、主管部における周囲４面のうちの少なくとも１面側を、連結する壁パネルの側辺部と突き合わせる突合面とし、該連結する壁パネルにおける連結縁を該突合面の屋外側に位置させることとし、突合面の屋内側には突き合わせる連結縁との重合状態において、連結する壁パネルの厚みと略同一の厚みとなる薄肉で全体扁平状の副管部を、連結する壁パネルに向ける状態で主管部の突合面より突出するように付設し、この副管部における連結する壁パネルの連結するパネルの連結縁の内面側と対向する外表面対応位置には、対向する連結突片を係入し、係合可能とする係入孔を備えることとし、壁パネルのコーナ柱に対する結合は、連結する壁パネルの連結縁を連結するコーナ柱の主管部突合面の屋外側に位置させることとし、主管部突合面の屋内側に主管部に付設する状態で備えられる副管部の外表面対応位置に備えられる係入孔に、壁パネルの連結縁の内面側に備えられる連結突片を係入し、壁パネルの側辺部に備えられる連結縁をコーナ柱の副管部に重合して行うこととし、また壁パネルの中間柱に対する結合は、連結する壁パネルの連結縁を連結する中間柱の主管部突合面の屋外側に位置させることとし、主管部突合面の屋内側に主管部に付設する状態で備えられる副管部の外表面対応位置に備えられる係入孔に、壁パネルの連結縁の内面側に備えられる連結突片を係入し、壁パネルの側辺部に備えられる連結縁を中間柱の副管部に重合して行うこととしてなる壁パネルの連結構造としている。
【００１４】
また本発明の請求項２は、壁パネルにおける連結縁の内面側には、屋内側に向けて突出される鉤状の連結突片を、少なくとも連結縁の内面側の上下２位置に備えることとし、これに対応し、該連結突片を係入し、係合する係入孔も、コーナ柱の副管部の外表面対応位置、あるいは中間柱の副管部の外表面対応位置における上下２位置に備えるようにしてなる請求項１に記載の壁パネルの連結構造としている。
【００１５】
また本発明の請求項３は、４隅に垂直に立設されるコーナ柱と、各コーナ柱間において所定の間隔をもってコーナ柱と同様に垂直に立設される１または２以上の中間柱と、各コーナ柱あるいは各中間柱に対してその側辺部を連結し、平面長方形あるいは方形状からなる屋外コンテナの外壁面を、その外面側において構成する全体平板状からなる壁パネルの複数枚と、を備え、コーナ柱あるいは中間柱に対して壁パネルの側辺部を連結する壁パネルの連結構造において、上記各コーナ柱は断面略正方形状で角管状の主管部を備え、主管部における周囲４面のうちの少なくとも１面部を、連結する壁パネルの側辺部と突き合わせる突合面とし、該連結する壁パネルにおける連結縁を該突合面の屋外側に位置させることとし、突合面の屋内側には突き合わせる連結縁の内面側と対向配置される状態で重合し、連結縁との重合状態において、連結する壁パネルの厚みと略同一の厚みとなる薄肉で全体扁平状の副管部を、連結する壁パネル側に向ける状態で主管部の突合面より突出するように付設し、この副管部における連結する壁パネルの連結縁の内面側と対向する外表面対応位置には、屋外側に向けて突出される鉤状の連結突片を備えることとし、上記各壁パネルは、コーナ柱あるいは中間柱と連結する側辺部において、外壁面に沿う外面側に連続する平板状のものとされ、連結するコーナ柱あるいは中間柱に向けて側方に突出され、壁パネルより薄肉の連結縁を備え、さらに該連結縁の内面側には、対向する連結突片を係入し、係合可能とする係入孔を備えることとし、上記中間柱は断面略方形状で角管状の主管部を備え、主管部における周囲４面のうちの少なくとも１面側を、連結する壁パネルの側辺部と突き合わせる突合面とし、該連結する壁パネルにおける連結縁を該突合面の屋外側に位置させることとし、突合面の屋内側には突き合わせる連結縁との重合状態において、連結する壁パネルの厚みと略同一の厚みとなる薄肉で全体扁平状の副管部を、連結する壁パネルに向ける状態で主管部の突合面より突出するように付設し、この副管部における連結する壁パネルの連結するパネルの連結縁の内面側と対向する外表面対応位置には、屋外側に向けて突出される鉤状の連結突片を備えることとし、壁パネルのコーナ柱に対する結合は、連結する壁パネルの連結縁を連結するコーナ柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁をコーナ柱の副管部に重合して行うこととし、また壁パネルの中間柱に対する結合は、連結する壁パネルの連結縁を連結する中間柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁を中間柱の副管部に重合して行うこととしてなる壁パネルの連結構造としている。
【００１６】
また本発明の請求項４は、壁パネルにおける連結縁の内面側には、鉤状の連結突片を係入し、係合可能とする係入孔を、少なくとも連結縁の内面側の上下２位置に備えることとし、これに対応し、該係入孔に係入し、係合可能な鉤状の連結突片を、コーナ柱の副管部の外表面対応位置、あるいは中間柱の副管部の外表面対応位置における上下２位置に備えるようにしてなる請求項３に記載の壁パネルの連結構造としている。
【００１７】
また本発明の請求項５は、上記壁パネルは、左右の各側辺部において上記連結縁を備えることとしてなる請求項１ないし４のいずれかに記載の壁パネルの連結構造としている。
【００１８】
また本発明の請求項６は、上記コーナ柱は、主管部における周囲４面のうちの、屋外コンテナの外壁部を構成せず、屋内側で隣り合う２つの面部を、それぞれその外面部を角度２７０度に対向させた状態でコーナ柱に連結する壁パネルの、側辺部と突き合わせるための突合面とし、各突合面の屋内側に上記副管部をそれぞれ付設することとしてなる請求項１または３のいずれかに記載の壁パネルの連結構造としている。
【００１９】
さらに本発明の請求項７は、上記中間柱は、主管部における周囲４面のうち、屋外コンテナの外壁部を構成せず、屋内側で４隅に立設する各コーナ柱に向けて備えられる２つの各面部を、それぞれその外面部を角度１８０度に対向させた状態で中間柱に連結する壁パネルの、側辺部と突き合わせるための突合面とし、各突合面の屋内側に上記副管部をそれぞれ付設することとしてなる請求項１または３のいずれかに記載の壁パネルの連結構造としている。
【発明の効果】
【００２０】
本発明によれば、壁パネルのコーナ柱に対する結合を、連結する壁パネルの連結縁を連結するコーナ柱の主管部突合面の屋外側に位置させることとし、主管部突合面の屋内側に主管部に付設する状態で備えられる副管部の外表面対応位置に備えられる係入孔に、壁パネルの連結縁の内面側に備えられる連結突片を係入し、壁パネルの側辺部に備えられる連結縁をコーナ柱の副管部に重合して行うこととし、また壁パネルの中間柱に対する結合を、連結する壁パネルの連結縁を連結する中間柱の主管部突合面の屋外側に位置させることとし、主管部突合面の屋内側に主管部に付設する状態で備えられる副管部の外表面対応位置に備えられる係入孔に、壁パネルの側辺部に備えられる連結縁を中間柱の副管部に重合して行うこととし、
あるいは壁パネルのコーナ柱に対する結合を、連結する壁パネルの連結縁を連結するコーナ柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁をコーナ柱の副管部に重合して行うこととし、また壁パネルの中間柱に対する結合は、連結する壁パネルの連結縁を連結する中間柱の主管部突合面の屋外側に位置させることとし、主管部突合面の屋内側に主管部に付設する状態で備えられる副管部の外表面対応位置に備えられる鉤状の連結突片を、壁パネルの連結縁の内面側に備えられる係入孔に係入し、壁パネルの側辺部に備えられる連結縁を中間柱の副管部に重合して行うこととしたため、壁パネルの室内側において、壁パネルを支持するためのコーナ柱や中間柱の突出部を極力小さくすることが可能となり、屋外コンテナの内壁面において、なるべく凹凸が発生することがなく、室内を効率良く利用することができるという効果がある。
【図面の簡単な説明】
【００２１】
【図１】本発明の一実施形態に係り、屋外コンテナの全体を示す斜視図である。
【図２】図１のII−II線に沿う屋外コンテナの平面断面図である。
【図３】図１のIII−III線に沿う壁パネルのコーナ柱および中間柱に対する連結構造を示す断面図である。
【図４】図１のIV−IV線に沿い、ドアパネルの開閉態様を示す断面図である。
【図５】中間柱に対する壁パネルの連結状態を示す図１のＶ部に対応する斜視図である。
【図６】コーナ柱の一面側に対する壁パネルの連結状態を示す図１のVI部に対応する斜視図である。
【図７】コーナ柱の他面側に対する壁パネルの連結状態を示す斜視図である。
【図８】従来の屋外コンテナの全体を示す斜視図である。
【図９】図９は壁および内部柱の水平断面図である。
【図１０】図８のＸ部を屋外コンテナの室内側から観たコーナ柱に対する壁パネルの連結構造を示す斜視図である。
【発明を実施するための形態】
【００２２】
以下、本発明の実施形態を図１ないし図７に基づいて説明する。図１に示す屋外コンテナ１１は、例えば山間部等において建設され、携帯電話の基地局用の建屋などに利用するのに好適とされる。この屋外コンテナには、４隅に垂直にコーナ柱１２を立設させてなる。また各コーナ柱１２間においては、所定の間隔をもってコーナ柱１２と同様に垂直に立設させる状態で３本の中間柱１３を備えるようにしている。これらコーナ柱１２と中間柱１３は、下端部を不図示の床基礎部に支持し、立設されるようにしている。
【００２３】
こうして立設されるコーナ柱１２と中間柱１３に対しては、その側辺部を連結する状態で全体長方形の平板状からなる壁パネル１５それぞれ結合可能とされる（図１，図２参照）。屋外コンテナ１１は、コーナ柱１２、中間柱１３に対する複数枚の壁パネル１５の連結状態において、平面方形状からなる屋外コンテナ１１の外壁面を、結合する壁パネル１５の外面側が構成するようにしている。
【００２４】
各壁パネル１５は、内部にウレタン材１４等を充填、固化してなる平板状のものとされ、屋外に面する外表面１６Ａ並びに屋内に面する内表面１６Ｂをアルミニウム合金板等の金属板材で被覆して形成される（図３参照）。壁パネル１５は、コーナ柱１２あるいは中間柱１２と連結する左右の各側辺部において、連結するコーナ柱１２あるいは中間柱１３に向けて側方に突出する連結縁１７が備えられる。各連結縁１７は壁パネル１５の肉厚Ｔよりも薄肉の厚さＴ１からなり、壁パネル１５の外壁面を構成する外表面１６Ａ（外面側）に連続する平板状の部分を備える。すなわち、各連結縁１７は壁パネル１５の左右の側辺部において、断面略Ｌ字状の金属板材で被覆するよう形成される。
【００２５】
壁パネル１５の各連結縁１７の内面側には、屋内側に向けて突出される全体鉤状からなる一対の連結突片１８Ａ、１８Ｂが備えられる（図５〜図７参照）。各連結突片１８Ａ、１８Ｂは、一枚の壁パネル１５の左右の側辺部において、その上下位置にそれぞれ備えられる。一対の連結突片１８Ａと１８Ｂの間には、連結縁１７の内面側において上下方向に連続するシール材１９が備えられる（図７参照
）。シール材１９としては、密閉性を有する合成樹脂材、ゴム材等が採用可能とされる。
【００２６】
屋外コンテナ１１における、その４隅に立設されるコーナ柱１２は、屋内側に面する角部に切欠き部２０を備えた断面略正方形状の角管状の主管部２１を備えてなる（図３参照）。この角管状の主管部２１の周囲４面のうち、切欠部２０に隣り合う各面部は、連結する壁パネル１５の側片部と突き合わせる突合面２２Ａ、２２Ｂとしている。すなわち、突合面２２Ａと２２Ｂは、屋外コンテナ１１の外壁面を構成せず、屋内側で隣り合う２つの面部とされ、それぞれその外面部を角度２７０度に対向させた状態でコーナ柱１２に連結する壁パネル１５の、側辺部と突き合わせるための面部とされる。
【００２７】
ここで各突合面２２Ａ、２２Ｂは、連結する壁パネル１５における連結縁１７を該突合面２２Ａ、２２Ｂの屋外側に位置を合わせ、各壁パネル１５の外表面１６Ａと主管部２１の非突合面２２Ｃあるいは２２Ｄとが一直線に対応するように、連結縁１７の端部を突き合わせるようにして壁パネル１５の連結を行うこととしている。
【００２８】
コーナ柱１２の主管部２１における各突合面２２Ａ、２２Ｂの屋内側には、突き合わせる壁パネル１５の連結縁１７における内面側と対向配置される状態で重合可能な副管部２３が備えられる。副管部２３は対応する主管部２１の突合面２２Ａ、２２Ｂより、連結する壁パネル１５側に向ける状態で突出するよう付設される。副管部２３は図３に示す対応する壁パネル１５との連結状態において、突き合わされる壁パネル１５の連結縁１７と重合し、連結縁１７との重合状態において、連結する壁パネル１５の厚みＴと略同一の厚みＴとなるように、全体扁平状の薄肉に形成している。すなわち、各副管部２３の厚みＴ２は、壁パネル１５における前記連結縁１７の厚みＴ１との重合状態における厚みが、壁パネル１５の厚みＴと同等となるように予め設定している。
【００２９】
コーナ柱１２の各副管部２３における連結する壁パネル１５の連結縁１７の内面側と対向する外表面対応位置には、対向する一対の連結突片１８Ａ、１８Ｂのうち、連結突片１８Ａを係入し、係合可能とする係入孔２４Ａ、連結突片１８Ｂを係入し、係合可能とする係入孔２４Ｂがそれぞれ備えられる（図６、図７参照）。各係入孔２４Ａ、２４Ｂは、一本のコーナ柱１２の各副管部２３において、その上下位置にそれぞれ備えられる。
【００３０】
屋外コンテナ１１における、上記コーナ柱１２間に所定の間隔をもって立設さされる中間柱１３は、連結する壁パネル１５と略同一の厚みＴからなり、断面略長方形状からなる扁平の主管部２５を備える（図３参照）。すなわち、中間柱１３の主管部２５は、短辺部の長さが壁パネル１５の厚みＴに対応する角管状のものとされる。この角管状の主管部２５の周囲４面のうち、短辺部を構成すう各面部を、連結する壁パネル１５の側辺部と突き合わせる突合面２６Ａ、２６Ｂとしている。すなわち、突合面２６Ａと２６Ｂは、屋外コンテナ１１の外壁面を構成せず、屋内側で４隅に立設する各コーナ柱１２に向けて備えられる２つの面部とされ、それぞれその外面部を角度１８０度に対向させた状態で中間柱１３に連結する壁パネル１５の、側辺部と突き合わせるための面部とされる。
【００３１】
ここで各突合面２６Ａ、２６Ｂは、連結する壁パネル１５における連結縁１７を該突合面２６Ａ、２６Ｂの屋外側に位置を合わせ、壁パネル１５の外表面１６Ａと主管部２５の非突合面２６Ｃが、壁パネル１５の内表面１６Ｂと主管部２５の非突合面２６Ｄが、それぞれ一直線に対応するように、対応する連結縁１７の端部を突き合わせるようにして、壁パネル１５の連結を行うこととしている。
【００３２】
中間柱１３の主管部２５における各突合面２６Ａ、２６Ｂの屋内側には、突き合わせる壁パネル１５の連結縁１７における内面側と対向配置される状態で重合可能な副管部２７が備えられる。副管部２７は対応する主管部２５の突合面２６Ａ、２６Ｂより、連結する壁パネル１５側に向けて突出するようにして付設される。副管部２７は、図３に示す対応する壁パネル１５との連結状態において、突き合わされる壁パネル１５の連結縁１７と重合し、連結縁１７との重合状態において、連結する壁パネル１５の厚みＴと略同一の厚みＴとなるように、全体扁平状の薄肉に形成している。すなわち、各副管部２７の厚みＴ３は、壁パネル１５における前記連結縁１７の厚みＴ１との重合状態における厚みが、壁パネル１５の厚みＴと同等となるよう予め設定してなる（図３参照）。
【００３３】
中間柱１３の左右の各副管部２７における連結する壁パネル１５の連結縁１７の内面側と対向する外表面対応位置には、対向する一対の連結突片１８Ａ、１８Ｂのうち、連結突片１８Ａを係入し、係合可能とする係入孔２８Ａ、連結突片１８Ｂを係入し、係合可能とする係入孔２８Ｂがそれぞれ備えられる（図５参照）。各係入孔２８Ａ、２８Ｂは、一本の中間柱１３の左右の各副管部２７において、その上下位置にそれぞれ備えられる。
【００３４】
屋外コンテナ１１においては、外壁面における一面側に矢印Ｃ方向（図２参照）に開閉可能とされる２枚のドアパネル２９Ａ、２９Ｂが備えられる（図１参照）。各ドアパネル２９Ａ、２９Ｂは、それぞれ周部を基枠３０に対して矢印Ｃ方向に開閉可能に支持させてなり（図２〜図４参照）、図１の左側に配設されるドアパネル２９Ａは、これを支持する基枠３０のヒンジ部３８を中心に矢印Ｃ方向に開閉操作可能とされ（図４参照）、図１の右側に配設されるドアパネル２９Ｂは、これを支持する基枠３０のヒンジ部３８を中心に矢印Ｃ方向に開閉操作可能とされる（図３、図４参照）。
【００３５】
それぞれのドアパネル２９Ａ、２９Ｂを支持する基枠３０は、左右の各側辺部をそれぞれ上記中間柱１３の副管部２７と重合状態で連結するための連結縁３１としてなり、各連結縁３１は壁パネル１５の肉厚Ｔよりも薄肉の厚さＴ４からなる。すなわち、連結縁３１の厚さＴ４は、中間柱１３の各副管部２７の厚みＴ３との重合状態の厚みが、壁パネル１５の厚みＴ、あるいはドアパネル２９Ａ、２９Ｂの厚みＴと同等となるように予め設定してなる。
【００３６】
ドアパネル２９Ａ、２９Ｂを支持する各基枠３０は、左右の各側辺部に備えられる連結縁３１の内面側に、屋内側に向けて突出される全体鉤状からなる一対の連結突片３２Ａ、３２Ｂが備えられる（図３、図４参照）。この連結突片３２Ａ、３２Ｂは、前記壁パネル１５の連結縁１７に備えられる連結突片１８Ａ、１８Ｂと略同等の構成とされ、一つの基枠３０の左右の側辺部において、その上下位置にそれぞれ備えられる。中間柱１３に対する各ドアパネル２９Ａ、２９Ｂを支持する基枠３０の連結は、上記連結突片３２Ａ、３２Ｂのうち、連結突片３２Ａを対向する副管部２７の係入孔２８Ａに係入して係合し、連結突片３２Ｂを対向する副管部２７の係入孔２８Ｂに係入して係合することで行うようにしている。なお、各ドアパネル２９Ａ、２９Ｂは、基枠３０に支持されるヒンジ部３８を中心に矢印Ｃ方向に開閉操作可能としている（図４参照）。
【００３７】
このように、コーナ柱１２、中間柱１３、壁パネル１５等の構成材からなる屋外コンテナ１１は、壁パネル１５のコーナ柱１２に対する結合を連結する壁パネル１５の連結縁１７を、連結するコーナ柱１２の主管部２１における突合面２２Ａあるいは突合面２２Ｂの屋外側に位置させることとし、各突合面２２Ａ、２２Ｂの屋内側に主管部２１に付設する状態で備えられる副管部２３の外表面対応位置に備えられる係入孔２４Ａに壁パネル１５の連結縁１７の内面側に備えられる連結突片１８Ａを図６、図７の矢印に示すように係入し、また係入孔２４Ｂに壁パネル１５の連結縁１７の内面側に備えられる連結突片１８Ｂを図６、図７の矢印に示すように係入することで、壁パネル１５の各連結縁１７をコーナ柱１２の対応する副管部２３に重合して行うことが可能となる（図３参照）。
【００３８】
また壁パネル１５の中間柱１３に対する結合を、連結する壁パネル１５の連結縁１７を連結する中間柱１３の主管部２５における突合面２６Ａ、あるいは突合面２６Ｂの屋外側に位置させることとし、各突合面２６Ａ、２６Ｂの屋内側に主管部２５に付設する状態で備えられる副管部２５の外表面対応位置に備えられる係入孔２８Ａに壁パネル１５の連結縁１７の内面側に備えられる連結突片１８Ａを図５の矢印に示すように係入し、また係入孔２８Ｂに壁パネル１５の連結縁１７の内面側に備えられる連結突片１８Ｂを図５の矢印に示すように係入することで、壁パネル１５の各連結縁１７を中間柱１３の対応する副管部２５に重合して行うことが可能となる（図３参照）。
【００３９】
こうして立設されたコーナ柱１２、あるいは中間柱１３に対して壁パネル１５の各側辺部を連結し、さらにドアパネル２９Ａ、２９Ｂについても基枠３０を中間柱１３に連結することで図１に示す屋外コンテナ１１を組立てることが可能となる。また屋外コンテナ１１において、屋根材３６はコーナ柱１２と中間柱１３の上端部に連結して結合される。
【００４０】
またこのようにして組立てられる屋外コンテナ１１は、屋根材３６をコーナ柱１２と中間柱１３の上端部から取り外し、各壁パネル１５をコーナ柱１２や中間柱１３から取り外すことでその解体を行うことが可能となる。すなわち、こうした解体作業において、壁パネル１５は、各連結突片１８Ａ、１８Ｂの、対応する係入孔２４Ａ、２４Ｂ、２８Ａ、２８Ｂに対する係入を解除して、コーナ柱１２、あるいは中間柱１３に対する連結状態を解くことで行うことを可能にしている。さらに立設されていたコーナ柱１２や中間柱１３についても、床基礎部から取外し、その解体を行うこととしている。
【００４１】
なお、上記実施形態に係る屋外コンテナ１１では、壁パネル１５のコーナ柱１２に対する結合を、連結する壁パネル１５の連結縁１７を連結するコーナ柱１２の主管部２１における突合面２２Ａ、あるいは突合面２２Ｂの屋外側に位置させることとし、各突合面２２Ａ、２２Ｂの屋内側に主管部２１に付設する状態で備えられる副管部２３の外表面対応位置に備えられる係入孔２４Ａに壁パネル１５の連結縁１７の内面側に備えられる連結突片１８Ａを図６、図７の矢印に示すように係入し、また係入孔２４Ｂに壁パネル１５の連結縁１７の内面側に備えられる連結突片１８Ｂを図６、図７の矢印に示すように係入することで、壁パネル１５の各連結縁１７をコーナ柱１２の対応する副管部２３に重合して行うこととし、また壁パネル１５の中間柱１３に対する結合を連結する壁パネル１５の連結縁１７を連結する中間柱１３の主管部２５における突合面２６Ａ、あるいは突合面２６Ｂの屋外側に位置させることとし、各突合面２６Ａ、２６Ｂの屋内側に主管部２５に付設する状態で備えられる副管部２５の、外表面対応位置に備えられる係入孔２８Ａに壁パネル１５の連結縁１７の内面側に備えられる連結突片１８Ａを図５の矢印に示すように係入し、また係入孔２８Ｂに壁パネル１５の連結縁１７の内面側に備えられる連結突片１８Ｂを図５の矢印に示すように係入することで、壁パネル１５の各連結縁１７を中間柱１３の対応する副管部２５に重合して行うこととしている。しかしこれとは逆に、連結する壁パネル１５の連結縁１７の内面側の上下位置に係入孔を備えることとし、連結するコーナ柱１２の主管部２１における突合面２２Ａ、あるいは突合面２２Ｂの屋内側に主管部２１に付設する状態で備えられる副管部２３の外表面対応位置に、該係入孔に係入可能な鉤状の連結突片を備えることとし、さらに連結する中間柱１３の主管部２５における突合面２６Ａ、あるいは突合面２６Ｂの屋内側に主管部２５に付設する状態で備えられる副管部２５の外表面対応位置に、該係入孔に係入可能な鉤状の連結突片を備えることとしてもよい。またこのような変形実施形態において、ドアパネル２９Ａ、２９Ｂの連結縁３１の内面側の上下位置に係入孔を備えることとしてもよい。
【００４２】
すなわち、こうした変形実施形態では、コーナ柱１２の各副管部２３における連結する壁パネル１５の連結縁１７の内面側と対向する外表面の上下対応位置と、中間柱１３の左右の各副管部２７における連結する壁パネル１５の連結縁１７の内面側と対向する外表面の上下対応位置に、それぞれ上記構成からなる鉤状の連結突片１８Ａ、１８Ｂを備えることとし、一方壁パネル１５の各連結縁１７の内面側に、各連結突片１８Ａ、１８Ｂを係入し、係合可能とする係入孔２８Ａ、２８Ｂをそれぞれ備えることとし、これらを結合させて壁パネル１５をコーナ柱１２に、また壁パネル１５を中間柱１３に結合させるようにしている（請求項３、４に対応）。同様に中間柱１３の左右の各副管部２７における連結するドアパネル２９Ａ、２９Ｂの連結縁３１の内面側と対向する外表面の上下対応位置に、上記構成からなる連結突片１８Ａ、１８Ｂを備えることとし、ドアパネル２９Ａ、２９Ｂの連結縁３１の内面側の上下位置に備えられる係入孔に該連結突片１８Ａ、１８Ｂを連結させるようにしてもよい。このような変形実施形態における壁パネル１５、コーナ柱１２、中間柱１３あるいはドアパネル２９Ａ、２９Ｂのその他の構成あるいは作用については前記実施形態と同様につき、説明を省略する。
【００４３】
このようにして、上記実施形態に係る屋外コンテナ１１によれば、壁パネル１５のコーナ柱１２に対する結合を、壁パネル１５の各連結縁１７をコーナ柱１２の対応する副管部２３に重合して行い、また壁パネル１５の中間柱１３の対応する副管部２５に重合して行うことが可能となる。この結果、壁パネル１５の側辺部を支持するためのコーナ柱１２や中間柱１３の突出部を極力小さくすることが可能となり、屋外コンテナ１１の内壁面において、なるべく凹凸が発生することなく、室内を効率良く利用することが可能となる。また壁パネル１５がコーナ柱１２、中間柱１３に対して連結された状態において、コーナ柱１２や中間柱１３の部分の厚みが、壁パネル１５の厚みＴと同等となり、屋外コンテナ１１の壁面の厚さを小さくすることが可能となる。同様に上記変形実施形態においても、壁パネル１５のコーナ柱１２に対する結合を、連結する壁パネル１５の各連結縁１７を連結するコーナ柱１２の主管部２１の突合面２２Ａ、２２Ｂの屋外側に位置させることとし、主管部２１の突合面２２Ａ、２２Ｂの屋内側に主管部２１に付設する状態で備えられる副管部２３の外表面対応位置に備えられる鉤状の連結突片を、壁パネル１５の連結縁１７の内面側に備えられる係入孔に係入し、壁パネル１５の側辺部に備えられる連結縁１７をコーナ柱１２の副管部２３に重合して行うことが可能となる。また、壁パネル１５の中間柱１３に対する結合も、連結する壁パネル１５の連結縁１７を連結する中間柱１３の主管部２５の突合面２６Ａ、２６Ｂの屋外側に位置させることとし、主管部２５の突合面２６Ａ、２６Ｂの屋内側に主管部２５に付設する状態で備えられる副管部２７の外表面対応位置に備えられる鉤状の連結突片を、壁パネル１５の連結縁１７の内面側に備えられる係入孔に係入し、壁パネル１５の側辺部に備えられる連結縁１７を中間柱１３の副管部２７に重合して行うこと可能となる。この結果、壁パネル１５の側辺部を支持するためのコーナ柱１２や中間柱１３の突出部を極力小さくすることが可能となり、屋外コンテナ１１の内壁面において、なるべく凹凸が発生することなく、室内を効率良く利用することが可能となる。
【００４４】
すなわち、こうした各実施形態に係る壁パネルの連結構造によれば、組立てられる屋外コンテナ１１の内壁面を凹凸のないフラットな面とすることが可能となり、例えば壁面に電気配線を行ったり、管体を配管する場合の作業が極めて容易になる。また、内壁面において凹凸がないため、室内においてデッドスペースが生じることなく、室内を有効利用することが可能となる。
【００４５】
また屋外コンテナ１１の組立てにおいて、ネジやビスなどを使用せず、壁パネル１５をコーナ柱１２や中間柱１３にシール材１９の存在により、シール性を保持させた状態で簡単に支持させることが可能となる。このように上記実施形態によれば、壁パネル１５のコーナ柱１２や中間柱１３に対する連結やドアパネル２９Ａ、１９Ｂの中間柱１３に対する連結が容易となり、屋外コンテナ１１の組立てや解体において工事の手間や時間を大幅に省くことが可能となる。
【００４６】
なお、上記各実施形態においては、壁パネル１５において、左右の各側辺部にコーナ柱１２や中間柱１３のそれぞれの副管部２３、２７に連結するための連結縁１７を備えることとしているが、左右いずれかの側辺部のみにこうした連結縁１７を備えることとしてもよい。
【００４７】
また上記各実施形態においては、コーナ柱１２の主管部２１における周囲４面のうちの、隣り合う２つの面部を、それぞれ壁パネル１５の側辺部と突き合わせるための突合面２２Ａ、２２Ｂとし、各突合面２２Ａ、２２Ｂの屋内側にそれぞれ副管部２３を付設するようにしているが、いずれか一方の突合面２２Ａ、２２Ｂのみに壁パネル１５の連結縁１７を連結するための副管部２３を付設するようコーナ柱１２を形成することとしてもよい。
【００４８】
また上記実施形態においては、中間柱１３の主管部２５における周囲４面のうちの、対向する２つの面部を、それぞれ壁パネル１５の側辺部と突き合わせるための突合面２６Ａ、２６Ｂとし、各突合面２６Ａ、２６Ｂの屋内側にそれぞれ副管部２７を付設するようにしているが、いずれか一方の突合面２６Ａ、２６Ｂのみに壁パネル１５の連結縁１７を連結するための副管部２７を付設するよう中間柱１３を形成することとしてもよい。
【００４９】
さらに上記実施形態によれば、壁パネル１５における各連結縁１７の内面側の上下２位置に、それぞれ一対からなる連結突片３２Ａ、３２Ｂを備えることとし、これに対応し、該連結突片３２Ａ、３２Ｂを係入し、結合する係入孔２４Ａ、２４Ｂ、２８Ａ、２８Ｂも、コーナ柱１２の副管部２３における外表面対応位置、あるいは中間柱１３の副管部２７における外表面対応位置、における上下２位置に備えるようにしているが、連結突片３２Ａ、３２Ｂの形成は必ずしも上下２位置とする必要はなく、上下方向において１つでもよく、また２以上の複数としてもよい。これに対応し、連結突片３２Ａ、３２Ｂを係入する係入孔２４Ａ、２４Ｂ、２８Ａ、２８Ｂについても、上下方向において１つとしてもよく、また２以上の複数としてもよい。
【００５０】
さらに加えて上記各実施形態では、連結突片３２Ａ、３２Ｂを左右対のものにて形成しているが、一つのものとしても良く、またその形状については様々なものを採用することが可能となる。
【産業上の利用可能性】
【００５１】
本発明は、山間部等に建設され、通信施設やレーダ施設用の建屋として利用したり、災害時用の仮設住宅、工事現場の仮事務所等に利用可能な屋外コンテナにおいて採用することが可能となる。
【符号の説明】
【００５２】
１、１１                          屋外コンテナ
２、１２                          コーナ柱
３、１３                          中間柱
４                                横桟材
５、１５                          壁パネル
６、３６                          屋根材
７、２９Ａ、２９Ｂ                ドアパネル
８、３８                          ヒンジ部
１４                              ウレタン材
１６Ａ                            外表面
１６Ｂ                            内表面
１７、３１                        連結縁
１８Ａ、１８Ｂ、３２Ａ、３２Ｂ    連結突片
１９                              シール材
２０                              切欠部
２１、２５                        主管部
２２Ａ、２２Ｂ、２６Ａ、２６Ｂ    突合面
２２Ｃ、２２Ｄ、２６Ｃ、２６Ｄ    非突合面
２３、２７                        副管部
２４Ａ、２４Ｂ、２８Ａ、２８Ｂ    係入孔
３０                              基枠
【図３】
0005498969.tif 000002
【図４】
0005498969.tif 000003
【図７】
0005498969.tif 000004
【図１】
0005498969.tif 000005
【図２】
0005498969.tif 000006
【図５】
0005498969.tif 000007
【図６】
0005498969.tif 000008
【図８】
0005498969.tif 000009
【図９】
0005498969.tif 000010
【図１０】
0005498969.tif 000011